(57)【要約】【課題】  クラスタを構成するネットワーク印刷装置のうち、一台でも構成から外れた時、その装置の内部に保管されたデータを保護する。【解決手段】  一台でも構成から外れた場合、そのネットワーク印刷装置を使用できなくする。【選択図】  図１
2006350629.tif 000002
【特許請求の範囲】
【請求項１】
インターネットもしくはイントラネットに接続されていて、装置所有者とのデータ送受信が可能であり、装置内に、個人情報データやプリントデータなどの、登録情報を保存することを可能とする複数のネットワーク印刷装置から構成されるクラスタリングシステムにおいて、
ここのネットワーク印刷において、クラスタリングから外れたことを検出する検出手段と、
この検出手段に基づきネットワーク印刷装置保管の情報データ類の取り出し禁止または装置の印刷動作を停止させる装置ロック手段と、
この装置ロック手段により装置ロックを実行したことをネットワーク管理者に通知するロック確認応答手段、
とを備えて構成されることを特徴とするクラスタリングシステム。
【請求項２】
請求項１に記載のクラスタリングシステムにおける、装置ロック手段に関し、印刷動作を停止させる手段として、
プリンタ操作部によりプリンタコントローラシステムを停止させる手段、
印刷データを、プリンタ内部で全て読み飛ばすようにする手段、
又は、紙を給紙するとき、故意にジャムを起こし、紙に出力イメージを転写させない手段、
を備えて構成されることを特徴とするクラスタリングシステム。
【請求項３】
請求項１に記載の紛失情報検出手段に関し、紛失を検出する手段として、
プリンタ起動時に、近隣のネットワークデバイスのMACアドレスをチェックし、前回起動したときと比較して変更されていれば、プリンタを起動しない手段、
又は
外付けタイプのプリントコントローラを備えるプリンタの場合、エンジンシリアル番号をチェックし、前回起動したときと比較して変更されていれば、プリンタを起動しない手段、
を備えて構成されることを特徴とするクラスタリングシステム。
【請求項４】
請求項１に記載のクラスタリングシステムにおいて、前記装置ロック手段は、ネットワーク印刷装置付属の操作パネルにおけるメッセージ表示または警告音発生を伴なって動作されることを特徴とするクラスタリングシステム。
【請求項５】
請求項１に記載のクラスタリングシステムにおいて、前記ロック確認応答手段は、ネットワーク管理者側でのメッセージ表示または警告音発生を伴なって動作されることを特徴とするクラスタリングシステム。
【請求項６】
請求項１に記載の、ネットワーク印刷装置保管の情報データ類に関し、ネットワーク印刷装置自体がFAXを装着している場合、FAXアドレス帳およびFAX送受信履歴情報についても、取り出し禁止にすることを特徴とするクラスタリングシステム。
【請求項７】
請求項２に記載の装置ロック手段に関し、ロックを解除するためにAdminのパスワードを入力させる、ロック解除手段を保持することを特徴とするクラスタリングシステム。
【請求項８】
請求項３に記載の紛失情報検出手段に関し、紛失が、請求項７に記載のロック解除手段により解除された時、
前回起動したときに保存していたMACアドレステーブルを、今回のMACアドレステーブルで上書きすることにより、次回起動時に紛失を検出しないようにする手段、
又は、
外付けタイプのプリントコントローラを備えるプリンタの場合、前回起動したときのエンジンシリアル番号を、今回のエンジンシリアル番号で上書きをして、これにより、次回起動時に紛失を検出しないようにする手段を有する
ことを特徴とするクラスタリングシステム。
【発明の詳細な説明】
【技術分野】
【０００１】
本発明は、複数のネットワーク印刷装置から構成されるクラスタリングシステムに関するもので、クラスタを構成する複数台のネットワーク印刷装置のうち、一台でも構成から外れた場合、そのネットワーク印刷装置に格納されたデータの流出と不正な使用を禁止するものである。なお、本発明に関し本明細書ではネットワーク印刷装置について主に記載をしているが、他のネットワークインターフェースを備えたイメージスキャナ・ＦＡＸなどのネットワーク周辺装置についても、装置内に個人情報データや入力画像・印刷データ等の記憶保管を可能とする装置であるなら、本発明の技術分野に含まれるものである。
【背景技術】
【０００２】
近年では、ネットワークプリンタやネットワークイメージスキャナなどのネットワーク入出力装置内部に、たくさんの個人情報や入力画像・印刷データを一時的もしくは恒久的に格納し、必要に応じて印刷するようになってきており、このような傾向が益々多くなっている。ところが、これらのネットワーク印刷装置が紛失・盗難などのため所有者から離れてしまった場合には、問題が種々発生する。その際にはまず装置に搭載されている個人情報データや印刷データの流出や紛失を防ぐとともに、それらのデータおよび装置を本来の装置所有者に確実に返却させることが必要となる。しかし、このようなケースで、所有者から離れてしまったネットワーク印刷装置に連絡をとって処置を施すなどのような有効な手段は存在していなかった。
【０００３】
ネットワーク印刷装置の盗難や紛失においては、セキュリティー保護のために、次のような要望が装置所有者から要請されている。
【０００４】
(ａ)ネットワーク印刷装置が盗難にあい、このネットワーク印刷装置が多くの個人情報データおよび印刷データを搭載していた場合、これらのデータは外部に流出させてはならず、機密を保持していなければならない。
【０００５】
(ｂ)ネットワーク印刷装置が盗難にあったときは、このネットワーク装置を使用して印刷することを防止しなければならない。
【０００６】
(ｃ)ネットワーク印刷装置を紛失したときは、このネットワーク印刷装置を発見した人がこれをどこに返却すべきなのか、オペレーションパネルもしくはネットワーク経由のメッセージ等で、容易に理解できるようにしたい。
【０００７】
(ｄ)ネットワーク印刷装置の盗難または紛失のときは、ビープ音付、メッセージ通知等により周囲にいる人々に警報を発して報知する。こうすれば、誰かがこれを発見してくれるかもしれない。
【０００８】
また、従来の対処の仕方として、次のような方策が提案されてきた。
【０００９】
(ａ)誰かがこのネットワーク印刷装置を不正に使用しないように、所有者はネットワーク管理者に対し、ネットワーク印刷装置が印刷を全てキャンセルするかＨＤＤ内に保存するだけで印刷しないような設定変更を依頼して、このネットワーク印刷装置を使えなくしてしまう。
【００１０】
(ｂ)ネットワーク印刷装置は、通常装置固有のパスワードを入力することにより手動的に装置セキュリティーロックをかける機能を有するので、これを活用し、所有者は頻繁にロックをかけながら装置を使用する。
【００１１】
又、別の従来例としては、特許文献１及び特許文献２をあげることが出来る。
【特許文献１】特開2000-155729号公報
【特許文献２】特開2004-185106号公報
【発明の開示】
【発明が解決しようとする課題】
【００１２】
しかしながら、従来の技術では次のような問題点があった。
【００１３】
・ネットワーク管理者は、ネットワーク印刷装置を印刷しないよう設定変更することで、誰かがこのネットワーク印刷装置を使用することを防止することはできるが、しかしながら、個人情報データおよび印刷データはこのネットワーク印刷装置内部に残されていて今だに有効活用できるものであるので、外部に持ち出される可能性がある。
【００１４】
・所有者らのほとんどの人は、ネットワーク印刷装置のセキュリティロック機能は面倒で不便であるのでこれを使用していない。そのため、このネットワーク印刷装置が盗難や紛失にあったあとでは、セキュリティーロック機能を動作させる方策がなくなってしまう。
【００１５】
・ビープ音による警報は、今日ではあまり役には立たない。
【００１６】
・ネットワーク印刷装置に記憶保持されている個人情報データや印刷データは、機密保持させておかねばならないという要請が益々増加していく傾向にある。
【００１７】
本発明は、上述のような従来装置の問題点に鑑みなされたもので、従来におけるような所有者が設定するセキュリティーロック機構によらない、新たな遠隔的なロック機能を搭載させ、第三者が印刷装置所有者の許可のないままに印刷を実行したり、個人情報データおよび印刷データへ違法にアクセスしたり使用したりすることを確実で簡単に防止することができる遠隔的セキュリティー機能を備えるネットワーク印刷装置を提供することを目的とする。
【課題を解決するための手段】
【００１８】
上記目的を達成する本発明のネットワーク印刷装置は、以下に示す構成を備える。
【００１９】
即ち、インターネットもしくはイントラネットに接続されていて、装置所有者とのデータ送受信が可能であり、装置内に個人情報データ類の記憶保管を可能とするネットワーク印刷装置であって、本来の装置所有者からネットワーク管理者へなされた紛失通知に基づいてネットワーク管理者が送信したメッセージまたはコマンドを検出する紛失情報検出手段と、この紛失情報検出手段に基づきネットワーク印刷装置保管の情報データ類の取り出し禁止または装置の印刷動作の停止を実行させる装置ロック手段と、この装置ロック手段により装置ロックを実行したことをネットワーク管理者に通知するロック確認応答手段、とを備える。
【発明の効果】
【００２０】
以上説明したように、このように本発明のネットワーク印刷装置によれば、次のような優れた効果を発揮する。すなわち、ネットワーク管理者により遠隔的管理で動作される信頼性の高いセキュリティー機能付きのネットワーク印刷装置が、極めて簡単な構成により容易に安価な装置やシステムで実現できるものである。そして、第三者がネットワーク印刷装置所有者の許可が無いと印刷出来ないようにすること、およびプリンタ内部の情報を読み出せなくすることを、効率的で確実に実行できるようになる。
【発明を実施するための最良の形態】
【００２１】
次に、本発明の詳細を実施例の記述に従って説明する。
【００２２】
〔第１実施例〕
以下、添付図面を参照して本発明によるネットワーク印刷装置の実施の形態を詳細に説明する。図１は、本発明によるネットワーク印刷装置と装置所有者−ネットワーク管理者とを含む連携関係の構成を示すブロック図である。なお、本ネットワーク印刷装置５０には、不図示だが、FAX送受信機能が装着されていても構わない。
【００２３】
また、図３は本発明によるネットワーク印刷装置のロック機能実行の流れを示すフローチャート図であり、図４はロック機能に伴うメッセージやコマンド等のやり取りを示す説明図である。なお、本発明のネットワーク管理者とは、ネットワーク内でネットワーク印刷装置の設置場所や稼動状態を一括管理する、管理者および管理用サーバマシンのことを指す。
【００２４】
本発明のネットワーク印刷装置によれば、次のような特徴を有している。
【００２５】
・ネットワーク印刷装置の本来の所有者は、装置の不正使用を防止するメッセージリクエストかコマンドの送信を、ネットワーク管理者に依頼することができる。
【００２６】
・ネットワーク管理者からあるネットワーク印刷装置がなくなったとの報告を当該装置が受けると、その装置の印刷停止やメモリプロテクト機能が遠隔的に起動させられて、装置は使用停止させられる。
【００２７】
・特別なタイプのメッセージリクエストかコマンドが、ネットワーク管理者によってそのネットワーク印刷装置へ送信される。
【００２８】
・そのネットワーク印刷装置は、それらの特別なタイプのショートメッセージもしくは特別なコマンドを受けとったときに、メモリ、印刷機構、もしくはＵＩ(ユーザインターフェイス)をロックし、オペレーションパネルにメッセージを表示することができる。
【００２９】
・その特別メッセージは、MIB(Message Information Base)にエラーステータスをセットするなどして、ネットワークインターフェースを介して警告を発するようにすることが出来る。
【００３０】
・その特別メッセージは、ネットワーク管理者宛にE-mailを送付するなどして、ネットワークインターフェースを介して警告を発するようにすることが出来る。
【００３１】
・その特別メッセージは、アラーム音やビープ音等を供なって警告を発するようにすることもできる。
【００３２】
・そのネットワーク印刷装置は自動的にネットワーク管理者へ確認肯定応答（アクノリジメント）を送信する。
【００３３】
本発明のネットワーク印刷装置は、図１に示すような［装置所有者３０・ネットワーク管理者４０・ネットワーク印刷装置１０３］との関係において使用され実施される。ここで先ず、＜装置所有者３０＞とはネットワーク印刷装置の所有者であり、装置所有者クライアントマシン３１で示される。＜ネットワーク管理者４０＞はその構成の一例として、管理用サーバマシン４１を含んで構成される。ネットワーク管理サーバマシン４1におけるオペレーションは、オペレータが直接操作しても、自動応答機能を備えたプログラムが応答しても、どちらであっても構わない。
【００３４】
＜ネットワーク印刷装置１０３＞はその構成の一例として、装置所有者３０が有するネットワーク印刷装置（ネットワーク周辺装置全般を含む）である。ネットワーク印刷装置１０３は、内部バス１１１、ネットワークインターフェース １１２、CPU １１３（CPUを含む、装置のプログラム等を格納）、HDD １１４（個人情報データや印刷ジョブデータを記憶保管可能）、RAM（メモリ）１１５（メモリ制御ユニットを含む装置全体の制御部）、ネットワーク以外の、シリアルやパラレルなどその他インターフェース １１６、PDLなどから画像を形成する画像形成部 １１７、操作パネル １１８（ＬＣＤ等による）、印刷部(プリントエンジン) １１９、を含んで構成される。
【００３５】
図２のような全体構成により、本発明の装置所有者３０は、ネットワーク管理者４０との送受信が可能でネットワーク印刷装置１０３のメモリ１１５内に個人情報データや印刷データ等の記憶保管を可能とし、本来の装置所有者３０からネットワーク管理者４０へなされた紛失や盗難等の連絡に基づいてネットワーク管理者４０がネットワーク管理サーバマシン４１からネットワーク１０１を介してメッセージまたはコマンドを送信し、これをネットワーク印刷装置１０３はネットワークインターフェース１１２を通して検出する紛失情報検出手段を有している。そして、この紛失情報検出手段に基づき装置保管の情報データ類の取り出し禁止（メモリ部１１５をロック）または装置の印刷部１１９の停止を実行させる装置ロック手段と、この装置ロック手段により装置ロックを実行したことをネットワーク管理者４０に通知するロック確認応答手段と、を備えて構成されている。また、これらの紛失情報検出手段・装置ロック手段・ロック確認応答手段の動作・実行は、CPU １１３に制御されている。なお、これらの手段が装置の電源が切られていると通常は動作できなくなる。そこで、装置電源が切られていても動作するような特別な設定の装置にしておくことも可能である。
【００３６】
このネットワーク印刷装置１０３における装置ロック手段は、ネットワーク印刷装置１０３側でのメッセージ表示（操作パネル１１８で画面表示）され、警告音発生（操作パネル１１８内不図示スピーカによるビープ音等を鳴音させてアラーム機能を動作させる）を伴なって動作実行がなされるとよい。また、このネットワーク印刷装置１０３におけるロック確認応答手段ロックは、ネットワーク管理者４０側でもメッセージ表示または警告音発生を伴なって動作が実行されるとよい。
【００３７】
次に図３に従い、本発明による移動電話装置のロック機能を実施するにあたり、＜ネットワーク管理者４０＞と＜ネットワーク印刷装置１０３＞のふたつの側に分けて、そのフローを示せば次の通りである。
【００３８】
＜ネットワーク管理者４０＞ ユーザー３０(所有者３０)がネットワーク印刷装置１０３がなくなったことに気付く（ステップＳ１０）。→ユーザー３０はネットワーク管理サーバマシン４０(人に限らず装置でもよい)にコンタクト（連絡）をとり、装置１０３の紛失を報知する（ステップＳ１１）。→ネットワークサーバ管理マシン４１は特別ショートメッセージまたはコマンドをネットワーク印刷装置１０３に送信する手続きをする（ステップＳ１２）。
【００３９】
次に、＜ネットワーク印刷装置１０３＞に移って進行する。ネットワーク印刷装置１０３は特別ショートメッセージまたはコマンドを受信する（ステップＳ１３）。→ ネットワーク印刷装置１０３ではこれらを本来所有者３０が装置を紛失したときに送信する特別ショートメッセージまたはコマンドであるかどうかを判断する（ステップＳ１４）。ここでNoであるなら、これらを通常のメッセージとして処理する（ステップＳ１５）。
【００４０】
そこで、Yesであるなら、コマンド（メッセージ中に含まれるものもあり）を実行する(ステップＳ１６)。→装置１０３のメモリ部１１５もしくはHDD部１１４、または両方をロックする（ステップＳ１７）。→装置１０３をロックする（ステップＳ１８）。→ネットワーク印刷装置１０３操作パネル１１８にメッセージを表示する。このとき、テキストはショートメッセージに含まれていたものとするとよい。(ステップＳ１８)。→ビープ音を鳴音させ、アラーム機能を実行する（ステップＳ１９）。→ネットワーク管理サーバマシン４１に確認応答(コマンド)を送信する。それから＜ネットワーク管理者４０＞に戻り、→装置１０３からの確認応答(コマンド)を受信する（ステップＳ２２）。→ユーザにそのことを通知する（ステップＳ２３） と進んで一連のフローが実行される。
【００４１】
本発明によるネットワーク印刷装置１０３のロック機能を実施するに伴うメッセージやコマンド応答等の送受信を示す説明図である。ネットワーク管理者４０側は、ロックまたはアラームを実行させるコマンドを、レイヤ３を介してデータチャンネルを通して装置側へ送信するとよい。ネットワーク管理者４０から、装置５０の表示部５５にメッセージを表示させるようメッセージ表示用コマンドを送り、ネットワーク印刷装置１０３ではそれに対して確認応答（アクノリジメント）のコマンドを送信して応答する。
【００４２】
図４は、ネットワーク管理サーバマシン４１から送られてきたコマンドもしくはメッセージに従い、操作パネル１１８に表示されるメッセージの一例を示す。３０１はネットワーク印刷装置１０３が印刷できないことをユーザに認知させるもの、３０２は復旧方法をユーザにアナウンスするものである。
【００４３】
図５は、ネットワーク印刷装置１０３の装置内に格納され、保護対象となる、印字ジョブデータおよび個人情報データの一例である。４０１は印字ジョブデータの例である。印字ジョブデータの種類は、搭載されたプリンタ記述言語(PDL)に応じて決まる。４０２は個人情報データの例である。装置によって、保持される個人情報の種類は異なることがあるが、ここでは代表的な例として、ユーザ名・メールアドレス・課金情報・印字待ちジョブに関する情報を挙げた。
【００４４】
図６は、FAX送信アドレス帳とFAX送信ログの一実施例である。ネットワーク印刷装置５０は、不図示ではあるが、FAX送受信ユニットを装着可能である。もしFAX送受信ユニットが装着されているなら、FAXアドレス帳およびFAX送受信履歴情報についても、課金に関係するなど、機密情報データとみなせるため、保護対象となる。
【００４５】
図７は、プリンタの不正使用を防止するための、UIの実施例である。プリンタ起動中に、プリンタが移動されたことを検知した場合、プリンタオペレーションパネル１１８にユーザへのメッセージを表示し(６０１)、続いてadminパスワードの入力待ち状態となる(６０２)。この場合、正しいAdminパスワードが入力されるまで、先に進めない。なお、外付けプリントコントローラなど、プリンタ起動時にBOOT画面が表示される機種については、プリンタオペレーションパネル１１８の代わりに、不図示のプリンタBOOT画面に表示しても良い(６０３，６０４)。図８は、プリンタが移動されたことを、サービスコールに置き換えた例である。この場合、ユーザはサービスマンが来るまで何も出来ないため、データは確実に保護される。さらに、呼ばれたサービスマンが不正移動を知ることで、販売会社が持つ情報網に伝わることから、元の所有者が盗難届を出していれば、事件が解決する。（６０５，６０６）。
【００４６】
図９、図１０は、プリンタ５０を、ネットワーク１０１からネットワーク１０１aに移動させた場合の、移動検知の実施例である。図１０で示すフローチャートを説明する。プリンタ５０aを起動すると(S701)、同一セグメント内のMACアドレスを収集し(S702)、MACアドレスリストのテーブル７６を作成する。ここで、テーブル７５/テーブル７６は、HDD１１４およびRAM１１５上に存在するものとする。続いて、テーブル７６とテーブル７５を比較する（S703）。テーブル７５は、前回プリンタを起動した時に作成したものであり、７５と７６の間にプリンタが移動したと仮定するとするならば、７５が移動前、７６が移動後となる。各テーブルを比較し、共通のMACアドレスが含まれていれば（S704）、プリンタは移動していないものとみなし、プリンタの起動を継続する（S710）。もし一つもMACアドレスが含まれていないのならば（S704）、パスワード入力画面を表示し(S705)、Adminパスワードが入力できなければ、無限ループに入る。Adminパスワードを正しく入力すると(S706)、次はHDD消去をするかどうかをたずね(S707)、Yesであれば消去し(S708)、そうでなければ消去せずにS709に進む。S709でテーブル７６を、テーブル７５に上書きし、次回の起動では同一MACアドレスになるように配慮した上で、プリンタの起動を継続する(S710)。
【００４７】
図１１、図１２は、外付けプリンタコントローラ８０１における、移動検知の実施例である。外付けコントローラ８０１とプリントエンジン８０３は、ローカルの通信ケーブル８０２で接続されているものとし、外付けプリンタコントローラは、ローカル通信ケーブル８０２を介して、別のプリントエンジンとも、接続できるものとする。プリントエンジン８０３は、機種名およびエンジンシリアル番号により、一意に識別されるものである。
【００４８】
図１２で示すフローチャートを説明する。プリンタを起動すると(S801)、エンジンシリアル番号を、前回起動した時のものと比較する(S802)。前回起動したときのエンジンシリアル番号は、プリンタ５０のHDD１１４およびRAM１１５上に保存されているものとする。前回と今回のエンジンシリアル番号が一致していれば、プリンタの起動を継続する(S808)。一致していない場合は、パスワード入力画面に移行し、ユーザにAdminパスワードの入力を促す(S803)。もしユーザがAdminパスワードを知らなければ、無限ループに陥る。正しいAdminパスワードを入力すれば、次はHDD消去をするかどうかをたずね(S805)、Yesであれば消去し(S806)、そうでなければ消去せず、S807に進む。S807では、現在のエンジンシリアル番号を前回のエンジンシリアル番号に上書きし、次回の起動でシリアル番号の不一致が発生しないよう配慮した上で、プリンタの起動を継続する(S808)。
【００４９】
〔第２実施例〕
第1実施例では、ネットワーク印刷装置に関して説明した関係上、個人情報データおよび印刷データだけを保護していたが、ネットワークスキャナなどネットワーク入力装置が接続されている場合についても同様、個人情報データおよび入力画像データを保護することを特徴とする、ネットワーク入出力装置。
【００５０】
〔第３実施例〕
第1実施例では、印刷動作を停止させる手段として、プリンタコントローラシステムを停止させていたが、プリンタコントローラはそのまま動作させ、印刷データを、プリンタ内部で全て読み飛ばして印刷させないようにすることを特徴とする、ネットワーク印刷装置。
【図面の簡単な説明】
【００５１】
【図１】本発明によるネットワーク印刷装置と装置所有者−ネットワーク管理者とを含む連携関係の構成を示すブロック図である。
【図２】本発明によるネットワーク印刷装置と装置所有者−ネットワーク管理者とを含む連携関係の構成を示すブロック図である。
【図３】本発明によるネットワーク印刷装置の装置ロック機能の実施の流れを示すフローチャート図である。
【図４】本発明によるネットワーク印刷装置の装置ロック機能を説明する、一実施例である。
【図５】本発明による印刷ジョブデータおよび個人情報データの格納形式を説明する、一実施例である。
【図６】本発明によるFAX送信アドレス帳およびFAX送信ログを説明する、一実施例である。
【図７】プリンタの移動を検知して装置をロックする際の、UIを説明する一実施例である。
【図８】プリンタの移動を検知して装置をロックする際の、UIを説明する一実施例である。
【図９】プリンタが他のネットワークに接続されたとき、移動を検知する手段を説明する、一実施例である。
【図１０】プリンタが他のネットワークに接続されたとき、移動を検知する手段を説明する、一実施例である。
【図１１】外付けプリントコントローラが、他のエンジンに接続されたとき、移動を検知する手段を説明する、一実施例である。
【図１２】外付けプリントコントローラが、他のエンジンに接続されたとき、移動を検知する手段を説明する、一実施例である。
【符号の説明】
【００５２】
１０１  ネットワーク
１０２  情報処理装置
１０３  画像処理装置
１１１  内部バス
１１２  ネットワークインターフェース
１１３  CPU
１１４  HDD
１１５  RAM
１１６  他のインターフェース
１１７  画像形成部
１１８  操作パネル
１１９  印刷部(プリントエンジン)
S２０１  画像処理装置メインタスクのフローチャート
３０１  オペレーションパネル画面1(操作パネル118)
３０２  オペレーションパネル画面2(操作パネル118)
４０１  印刷ジョブデータ(RAM１１５)
４０２  個人情報データ(RAM１１５)
３０  装置所有者
４０  ネットワーク管理者
５０  ネットワーク印刷装置
【図１】
2006350629.tif 000003
【図２】
2006350629.tif 000004
【図３】
2006350629.tif 000005
【図４】
2006350629.tif 000006
【図５】
2006350629.tif 000007
【図６】
2006350629.tif 000008
【図７】
2006350629.tif 000009
【図８】
2006350629.tif 000010
【図９】
2006350629.tif 000011
【図１０】
2006350629.tif 000012
【図１１】
2006350629.tif 000013
【図１２】
2006350629.tif 000014